【手続補正書】
【提出日】平成16年9月16日(2004.9.16)
【手続補正１】
【補正対象書類名】明細書
【補正対象項目名】発明の名称
【補正方法】変更
【補正の内容】
【発明の名称】ゲーム装置
【手続補正２】
【補正対象書類名】明細書
【補正対象項目名】特許請求の範囲
【補正方法】変更
【補正の内容】
【特許請求の範囲】
【請求項１】
複数の模擬出走馬によってレースが行われるゲーム装置であって、
登録馬データを記憶する登録馬データ記憶手段と、
前記登録馬データの中から前記模擬出走馬に割り当てる登録馬データをレース毎に選択し、選択された登録馬データに基づいて前記模擬出走馬にレースを行わせる手段と、
前記登録馬データを順次更新してゆく手段とを含み、
登録馬データに含まれる馬名データを決めるためのデータをオペレータが入力設定するための手段を含むことを特徴とするゲーム装置。
【請求項２】
複数の模擬出走馬によってレースが行われるゲーム装置であって、
登録馬データを記憶する登録馬データ記憶手段と、
前記登録馬データの中から前記模擬出走馬に割り当てる登録馬データをレース毎に選択し、選択された登録馬データに基づいて前記模擬出走馬にレースを行わせる手段と、
前記登録馬データを順次更新してゆく手段とを含み、
前記登録馬データが含む気性値データに基づき登録馬データが含む性別データを変更することで前記登録馬データを更新することを特徴とするゲーム装置。
【請求項３】
複数の模擬出走馬によってレースが行われるゲーム装置であって、
前記模擬出走馬に割り当てる馬名データを決めるためのデータ、前記模擬出走馬が出場するレースに割り当てるレース名データを決めるためのデータ、前記模擬出走馬が出走するレースでの天候データを決めるためのデータの少なくとも１つをオペレータが入力設定するための手段と、
前記馬名データが割り当てられた前記模擬出走馬を前記レース名データが割り当てられたレースに出走させ前記天候データの条件の下でレースを行わせるための手段とを含むことを特徴とするゲーム装置。
【請求項４】
複数の模擬移動体にレースを行わせ、レース結果に基づきメダルのやり取りを行うゲーム装置であって、
プレーヤの各々に割り当てられレースに関連する情報をプレーヤに対して出力するディスプレイと、
模擬移動体のレース結果の予想情報を、プレーヤからのメダルの支払いを条件として前記ディスプレイに表示するための手段とを含むことを特徴とするゲーム装置。
【手続補正３】
【補正対象書類名】明細書
【補正対象項目名】０００１
【補正方法】変更
【補正の内容】
【０００１】
【発明の属する技術分野】
本発明は、ゲーム装置に関する。
【手続補正４】
【補正対象書類名】明細書
【補正対象項目名】０００２
【補正方法】変更
【補正の内容】
【０００２】
【背景技術及び発明が解決しようとする課題】
従来より、模擬出走馬などの模擬移動体にレースを行わせ、プレーヤがレース結果を予想するゲーム装置が知られており、現実の世界の競馬等を疑似体験できるものとして人気が高い。
【手続補正５】
【補正対象書類名】明細書
【補正対象項目名】０００３
【補正方法】変更
【補正の内容】
【０００３】
しかしながら従来のゲーム装置では、模擬出走馬が繰り返し登場してくるだけであるため、レースが単調になり、プレーヤに飽きられやすいという問題があった。
【手続補正６】
【補正対象書類名】明細書
【補正対象項目名】０００４
【補正方法】変更
【補正の内容】
【０００４】
また従来の上記ゲーム装置では時間経過の要素は全く考慮されていなかった。
【手続補正７】
【補正対象書類名】明細書
【補正対象項目名】０００５
【補正方法】変更
【補正の内容】
【０００５】
また模擬出走馬の馬名やレース名等については、ゲーム装置のメーカ側が予め決めたものを使用するだけであったため、どの店舗でゲームプレイしても、変わり映えがしないレースとなるという問題もあった。
【手続補正８】
【補正対象書類名】明細書
【補正対象項目名】０００６
【補正方法】変更
【補正の内容】
【０００６】
更に従来のゲーム装置では、プレーヤに対して価値の高い予想情報を提供できないという問題もあった。
【手続補正９】
【補正対象書類名】明細書
【補正対象項目名】０００７
【補正方法】変更
【補正の内容】
【０００７】
本発明は、以上のような課題を解決するためになされたものであり、その目的とするところは、模擬出走馬の特性にバラエティを持たせたり、ゲーム装置が設置される店舗の特徴を出したり、高い予想情報をプレーヤに提供することで、プレーヤに飽きられにくいゲーム装置を提供することにある。
【手続補正１０】
【補正対象書類名】明細書
【補正対象項目名】０００８
【補正方法】変更
【補正の内容】
【０００８】
【課題を解決するための手段】
上記課題を解決するために、本発明は、複数の模擬出走馬によってレースが行われるゲーム装置であって、登録馬データを記憶する登録馬データ記憶手段と、前記登録馬データの中から前記模擬出走馬に割り当てる登録馬データをレース毎に選択し、選択された登録馬データに基づいて前記模擬出走馬にレースを行わせる手段と、前記登録馬データを順次更新してゆく手段とを含むことを特徴とする。
【手続補正１１】
【補正対象書類名】明細書
【補正対象項目名】０００９
【補正方法】変更
【補正の内容】
【０００９】
本発明によれば、登録馬データが順次更新される。そしてこの更新されてゆく登録馬データの中から模擬出走馬に割り当てる登録馬データが選択される。例えば８００個の登録馬データがあった場合には、この８００個の中から例えば６個の登録馬データが選択され模擬出走馬に割り当てられる。そして選択された登録馬データに基づいて模擬出走馬がレースを行う。本発明によれば、登録馬データが順次更新されるため、登録馬データが更新されず固定となる場合に比べ、模擬出走馬が持つ特性のバラエティ度を格段に高めることができ、プレーヤに飽きられにくいゲーム装置を提供できるようになる。
【手続補正１２】
【補正対象書類名】明細書
【補正対象項目名】００１５
【補正方法】変更
【補正の内容】
【００１５】
また本発明は、複数の模擬出走馬によってレースが行われるゲーム装置であって、前記模擬出走馬に割り当てる馬名データを決めるためのデータ、前記模擬出走馬が出場するレースに割り当てるレース名データを決めるためのデータ、前記模擬出走馬が出走するレースでの天候データを決めるためのデータの少なくとも１つをオペレータが入力設定するための手段と、前記馬名データが割り当てられた前記模擬出走馬を前記レース名データが割り当てられたレースに出走させ前記天候データの条件の下でレースを行わせるための手段とを含むことを特徴とする。
【手続補正１３】
【補正対象書類名】明細書
【補正対象項目名】００１６
【補正方法】変更
【補正の内容】
【００１６】
本発明によれば、ゲーム装置が設置される店舗に独自のレース名や馬名をレースや馬に付けることが可能となる。また天候の傾向を変えることでプレーヤに飽きられにくいゲームを実現できる。
【手続補正１４】
【補正対象書類名】明細書
【補正対象項目名】００１７
【補正方法】変更
【補正の内容】
【００１７】
また本発明は、複数の模擬移動体にレースを行わせ、レース結果に基づきメダルのやり取りを行うゲーム装置であって、プレーヤの各々に割り当てられレースに関連する情報をプレーヤに対して出力するディスプレイと、模擬移動体のレース結果の予想情報を、プレーヤからのメダルの支払いを条件として前記ディスプレイに表示するための手段とを含むことを特徴とする。